(57)【特許請求の範囲】
【請求項１】
アテンション（ＡＴ）コマンドを使用してデュアルスタックアーキテクチャへのアクセスを制御するための方法であって、
第１のネットワークへの第１の登録を確立することと、
第２のネットワークへの第２の登録を確立することと、
前記第１の登録および第２の登録から望ましい登録を選択することと、
複数の既存のアテンション（ＡＴ）コマンドの少なくとも１つを前記望ましい登録に向けるためのアテンション（ＡＴ）コマンドを送信すること、
を備える方法。
【請求項２】
前記第１のネットワークはＧＳＭに基づき、前記第２のネットワークはＵＭＴＳに基づく、請求項１に記載の方法。
【請求項３】
前記第１の登録は音声コール用に使用され、前記第２の登録は、ショートメッセージサービス（ＳＭＳ）用に使用される、請求項２に記載の方法。
【請求項４】
前記第１のネットワーク、または前記第２のネットワークのうちの少なくとも１つはＬＴＥに基づく、請求項１に記載の方法。
【請求項５】
前記望ましい登録は、音声コールをするためにアテンションダイヤル（ＡＴＤ）コマンドを使用する、請求項１に記載の方法。
【請求項６】
前記アテンション（ＡＴ）コマンドは、＄ＱＣＳＩＭＡＰＰコマンドに基づく、請求項１に記載の方法。
【請求項７】
前記アテンション（ＡＴ）コマンドは、前記望ましい登録を示すための＜ＳＩＭ  Ａｐｐ＞フィールドを含む、請求項６に記載の方法。
【請求項８】
前記＄ＱＣＳＩＭＡＰＰコマンドは、どのように＋ＣＰＭＳコマンドが、前記第１の、または第２の登録のどちらかに経路設定されるかに基づく、請求項６に記載の方法。
【請求項９】
前記＋ＣＰＭＳコマンドは、好ましいメッセージ記憶装置を指定する、請求項８に記載の方法。
【請求項１０】
前記＄ＱＣＳＩＭＡＰＰコマンドは、ＳＩＭアプリケーションを指定する、請求項６に記載の方法。
【請求項１１】
前記ＡＴコマンドは、モバイル発生（ＭＯ）オペレーション、またはモバイル終了（ＭＴ）オペレーションのどちらかに適用される、請求項１に記載の方法。
【請求項１２】
コマンドプロセッサエンジンに対する、モード、登録、またはスタックを指定するために前記ＡＴコマンドを使用することをさらに備える、請求項１に記載の方法。
【請求項１３】
識別用のオプションを選ぶために、またはスタックについての情報を追加するために、前記ＡＴコマンドを使用することをさらに備える、請求項１に記載の方法。
【請求項１４】
前記ＡＴコマンドは、登録情報を有するＲＩＮＧコードに関するレガシコードを使用する、請求項１に記載の方法。
【請求項１５】
アテンション（ＡＴ）コマンドを使用してデュアルスタックアーキテクチャへのアクセスを制御するための装置であって、
第１のネットワークへの第１の登録を確立するための手段と、
第２のネットワークへの第２の登録を確立するための手段と、
前記第１の登録および第２の登録から望ましい登録を選択するための手段と、
複数の既存のアテンション（ＡＴ）コマンドの少なくとも１つを前記望ましい登録に向けるためのアテンション（ＡＴ）コマンドを送信する手段と、
を備える装置。
【請求項１６】
前記第１のネットワークはＧＳＭに基づき、前記第２のネットワークはＵＭＴＳに基づく、請求項１５に記載の装置。
【請求項１７】
前記第１の登録は音声コール用に使用され、前記第２の登録は、ショートメッセージサービス（ＳＭＳ）用に使用される、請求項１６に記載の装置。
【請求項１８】
前記第１のネットワーク、または前記第２のネットワークのうちの少なくとも１つはＬＴＥに基づく、請求項１５に記載の装置。
【請求項１９】
前記望ましい登録は、音声コールをするためにアテンションダイヤル（ＡＴＤ）コマンドを使用する、請求項１５に記載の装置。
【請求項２０】
前記アテンション（ＡＴ）コマンドは、＄ＱＣＳＩＭＡＰＰコマンドに基づく、請求項１５に記載の装置。
【請求項２１】
前記アテンション（ＡＴ）コマンドは、前記望ましい登録を示すための＜ＳＩＭ  Ａｐｐ＞フィールドを含む、請求項２０に記載の装置。
【請求項２２】
前記＄ＱＣＳＩＭＡＰＰコマンドは、どのように＋ＣＰＭＳコマンドが、前記第１の、または第２の登録のどちらかに経路設定されるかに基づく、請求項２０に記載の装置。
【請求項２３】
前記＋ＣＰＭＳコマンドは、好ましいメッセージ記憶装置を指定する、請求項２２に記載の装置。
【請求項２４】
前記＄ＱＣＳＩＭＡＰＰコマンドは、ＳＩＭアプリケーションを指定する、請求項２０に記載の装置。
【請求項２５】
前記ＡＴコマンドは、モバイル発生（ＭＯ）オペレーション、またはモバイル終了（ＭＴ）オペレーションのどちらかに適用される、請求項１５に記載の装置。
【請求項２６】
コマンドプロセッサエンジンに対する、モード、登録、またはスタックを指定するために前記ＡＴコマンドを使用するための手段をさらに備える、請求項１５に記載の装置。
【請求項２７】
識別用のオプションを選ぶために、またはスタックについての情報を追加するために、前記ＡＴコマンドを使用するための手段をさらに備える、請求項１５に記載の装置。
【請求項２８】
前記ＡＴコマンドは、登録情報を有するＲＩＮＧコードに関するレガシコードを使用する、請求項１５に記載の装置。
【請求項２９】
プロセッサおよびメモリを備えるユーザ機器であって、前記メモリは、
第１のネットワークへの第１の登録を確立することと、
第２のネットワークへの第２の登録を確立することと、
前記第１の登録および第２の登録から望ましい登録を選択することと、
複数の既存のアテンション（ＡＴ）コマンドの少なくとも１つを前記望ましい登録に向けるためのアテンション（ＡＴ）コマンドを送信すること、
を行うために前記プロセッサによって実行可能なプログラムコードを含む、ユーザ機器。
【請求項３０】
前記第１のネットワークはＧＳＭに基づき、前記第２のネットワークはＵＭＴＳに基づく、請求項２９に記載のユーザ機器。
【請求項３１】
前記第１の登録は音声コール用に使用され、前記第２の登録は、ショートメッセージサービス（ＳＭＳ）用に使用される、請求項３０に記載のユーザ機器。
【請求項３２】
前記第１のネットワーク、または前記第２のネットワークのうちの少なくとも１つはＬＴＥに基づく、請求項２９に記載のユーザ機器。
【請求項３３】
前記望ましい登録は、音声コールをするためにアテンションダイヤル（ＡＴＤ）コマンドを使用する、請求項２９に記載のユーザ機器。
【請求項３４】
前記アテンション（ＡＴ）コマンドは、＄ＱＣＳＩＭＡＰＰコマンドに基づく、請求項２９に記載のユーザ機器。
【請求項３５】
前記アテンション（ＡＴ）コマンドは、前記望ましい登録を示すための＜ＳＩＭ  Ａｐｐ＞フィールドを含む、請求項３４に記載のユーザ機器。
【請求項３６】
前記＄ＱＣＳＩＭＡＰＰコマンドは、どのように＋ＣＰＭＳコマンドが、前記第１の、または第２の登録のどちらかに経路設定されるかに基づく、請求項３４に記載のユーザ機器。
【請求項３７】
前記＋ＣＰＭＳコマンドは、好ましいメッセージ記憶装置を指定する、請求項３６に記載のユーザ機器。
【請求項３８】
前記＄ＱＣＳＩＭＡＰＰコマンドは、ＳＩＭアプリケーションを指定する、請求項３４に記載のユーザ機器。
【請求項３９】
前記ＡＴコマンドは、モバイル発生（ＭＯ）オペレーション、またはモバイル終了（ＭＴ）オペレーションのどちらかに適用される、請求項２９に記載のユーザ機器。
【請求項４０】
前記メモリは、コマンドプロセッサエンジンに対する、モード、登録、またはスタックを指定するために前記ＡＴコマンドを使用するためのプログラムコードをさらに備える、請求項２９に記載のユーザ機器。
【請求項４１】
前記メモリは、識別用のオプションを選ぶために、またはスタックについての情報を追加するために、前記ＡＴコマンドを使用するためのプログラムコードをさらに備える、請求項２９に記載のユーザ機器。
【請求項４２】
前記ＡＴコマンドは、登録情報を有するＲＩＮＧコードに関するレガシコードを使用する、請求項２９に記載のユーザ機器。
【請求項４３】
コンピュータに対して、第１のネットワークへの第１の加入を確立させるためのコードと、
コンピュータに対して、第２のネットワークへの第２の加入を確立させるためのコードと、
コンピュータに対して、前記第１の加入および第２の加入から望ましい加入を選択させるためのコードと、
コンピュータに対して、複数の既存のアテンション（ＡＴ）コマンドの少なくとも１つを前記望ましい加入に向けるためのアテンション（ＡＴ）コマンドを送信させるためのコードと、
を備える、コンピュータ可読記憶媒体。
【発明の詳細な説明】
【技術分野】
【０００１】
[0001] 本開示は、一般的にはワイヤレス通信システムにおけるワイヤレスアクセスを制御するための装置および方法に関する。より具体的には、本開示は、アテンション（ＡＴ）コマンドを使用してデュアルスタックアーキテクチャにおけるワイヤレスアクセスを制御するための装置および方法に関する。
【背景技術】
【０００２】
[0002] 多くのテレコミュニケーションシステムでは、通信ネットワークが、いくつかの相互作用する空間的に隔てられたデバイス間でメッセージを交換するために使用される。様々なタイプのネットワークは、異なる態様において分類されうる。一例において、ネットワークの地理的範囲は、ワイドエリア、メトロポリタンエリア、ローカルエリア、またはパーソナルエリアにわたることができ、これらに対応するネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として示されるだろう。ネットワークはまた、様々なネットワークノードおよびデバイスを相互接続するために使用されるスイッチング（ｓｗｉｔｃｈｉｎｇ）／ルーティングの技術において（例えば、回路スイッチング対パケットスイッチング）、送信のために用いられる物理媒体のタイプにおいて（例えば、ワイヤード（ｗｉｒｅｄ）対ワイヤレス）、または使用される通信プロトコルのセットにおいて（例えば、インターネットプロトコル群、ＳＯＮＥＴ（同期光ファイバーネットワーキング）、イーサ（登録商標）ネットなど）、異なる。
【０００３】
[0003] 通信ネットワークの１つの重要な特徴は、ネットワークの構成要素間での電気信号の送信のためのワイヤードまたはワイヤレス媒体の選択である。ワイヤードネットワークのケースでは、銅線、同軸ケーブル、光ファイバーケーブルなどのような有形物理媒体が、ある距離にわたってメッセージトラフィックを運ぶ誘導電磁波を伝搬するために用いられる。ワイヤードネットワークは、通信ネットワークの静的な形態であり、固定ネットワーク要素の相互接続またはバルクデータ転送に対して好まれうる。例えば、光ファイバーケーブルは、地球の表面にわたる大陸間あるいは大陸を横断するバルクデータ伝送のような、大きなネットワークハブ間の長距離にわたる超高速スループット伝送アプリケーションに対して好ましい伝送媒体でありうる。
【０００４】
[0004] 一方、ワイヤレスネットワークは、ネットワーク要素が動的接続性のニーズを備えた移動式（mobile）であるとき、またはネットワークアーキテクチャが固定式よりもアドホックのトポロジにおいて形成される場合に、好まれうる。ワイヤレスネットワークは、無線、マイクロ波、赤外線、光などの周波数帯域における電磁波を使用して、無誘導伝搬モードにおいて無形物理媒体を用いる。ワイヤレスネットワークは、固定式ワイヤードネットワークと比較して、迅速なフィールド展開およびユーザの移動性を促進するという利点を有しうる。しかしながら、ワイヤレス伝搬の使用は、互換性のあるスペクトル利用のために、ハイレベルな相互調整および協力、およびネットワークユーザ間での著しいアクティブリソース管理を要求しうる。
【０００５】
[0005] 一例では、ワイヤレスネットワークは、様々なワイヤレスプロトコルと互換性がある。ワイヤレスプロトコルの例示的なバージョンは、ユニバーサルモバイルテレコミュニケーションシステム（ＵＭＴＳ）、高速ダウンリンクパケットアクセス（ＨＳＤＰＡ）、高速アップリンクパケットアクセス（ＨＳＵＰＡ）、ロングタームエボリューション（ＬＴＥ）などを含む。これらのプロトコルに準拠するワイヤレスシステムは、電話通信、メッセージング、データ転送、電子メール、インターネットアクセス、オーディオブロードキャスト、ビデオ通信などのような様々な通信サービスに対して使用されうる。これらのワイヤレスシステムは、固定式テレコミュニケーションインフラストラクチャネットワークに対して、ユーザ機器（ＵＥ）またはユーザデバイスとしても知られる個別のアクセス端末に接続するために、基地局（ＢＳ）、ノードＢ、またはｅノードＢとしても知られるアクセスノード（ＡＮ）を利用することができる。一般に、無線カバレッジエリアは、ＵＥ（例えば、ユーザ機器またはユーザデバイス）に対して、エアインタフェースとしても知られるワイヤレスアクセスを提供するために、セルラを基準とした位相的アーキテクチャ（topological architecture）を使用する複数のノードＢまたはｅノードＢを使用してインプリメントされる。固定式テレコミュニケーションインフラストラクチャネットワークの例は、公衆交換電話網（ＰＳＴＮ）、インターネット、プライベートデータネットワークなどを含む。一態様では、ノードＢまたはｅノードＢは、固定式テレコミュニケーションインフラストラクチャネットワークへの相互接続を促進するために、無線ネットワーク制御装置（ＲＮＣ）に接続されうる。
【発明の概要】
【０００６】
[0006] 開示されるのは、アテンション（ＡＴ）コマンドを使用してデュアルスタックアーキテクチャにおけるワイヤレスアクセスを制御するための装置および方法である。一態様にしたがって、アテンション（ＡＴ）コマンドを使用してデュアルスタックアーキテクチャへのアクセスを制御するための方法は、第１のネットワークへの第１の加入を確立することと、第２のネットワークへの第２の加入を確立することと、前記第１の加入および第２の加入から望ましい加入を選択することと、複数の既存のアテンション（ＡＴ）コマンドのうちの少なくとも１つを前記望ましい加入に向けるためのアテンション（ＡＴ）コマンドを送信することとを含む。
【０００７】
[0007] 別の態様にしたがって、アテンション（ＡＴ）コマンドを使用してデュアルスタックアーキテクチャへのアクセスを制御するための装置は、第１のネットワークへの第１の加入を確立するための手段と、第２のネットワークへの第２の加入を確立するための手段と、前記第１の加入および第２の加入から望ましい加入を選択するための手段と、複数の既存のアテンション（ＡＴ）コマンドのうちの少なくとも１つを前記望ましい加入に向けるためのアテンション（ＡＴ）コマンドを送信するための手段とを含む。
【０００８】
[0008] 別の態様にしたがって、ユーザ機器はプロセッサおよびメモリを備え、前記メモリは、第１のネットワークへの第１の加入を確立することと、第２のネットワークへの第２の加入を確立することと、前記第１の加入および第２の加入から望ましい加入を選択することと、複数の既存のアテンション（ＡＴ）コマンドのうちの少なくとも１つを前記望ましい加入に向けるためのアテンション（ＡＴ）コマンドを送信することとを、前記プロセッサによって実行可能なプログラムコードを包含する。
【０００９】
[0009] 別の態様にしたがって、非トランジトリなコンピュータ可読媒体を含むコンピュータプログラム製品が、コンピュータに対して第１のネットワークへの第１の加入を確立させるためのコードと、コンピュータに対して第２のネットワークへの第２の加入を確立させるためのコードと、コンピュータに対して前記第１の加入および第２の加入から望ましい加入を選択させるためのコードと、コンピュータに対して複数の既存のアテンション（ＡＴ）コマンドのうちの少なくとも１つを前記望ましい加入に向けるためのアテンション（ＡＴ）コマンドを送信させるためのコードとを含む。
【００１０】
[0010] 本開示の利点は、レガシ（ｌｅｇａｃｙ）コマンドとの後方互換性を維持しながらワイヤレスシステムを分離するためのアクセスを促進することを含むことができる。
【００１１】
[0011] その他の態様も、例示として様々な態様が記述および提示される以下の詳細な説明から、当業者にとって容易に明らかになるであろうことは理解される。これら図面および詳細な説明は、本質的に例示的であり、限定的であるとはみなされるべきではない。
【図面の簡単な説明】
【００１２】
【図１】２つの端末システムの例を例示するブロック図。
【図２】複数のユーザデバイスをサポートするワイヤレス通信システムの例。
【図３】アテンション（ＡＴ）コマンドを使用してデュアルスタックアーキテクチャへのアクセスを制御するためのフロー図の例。
【図４】アテンション（ＡＴ）コマンドを使用してデュアルスタックアーキテクチャへのアクセスを制御するための例示的なデバイスを例示する図。
【図５】アテンション（ＡＴ）コマンドを使用してデュアルスタックアーキテクチャへのアクセスを制御するのに適したデバイスの例。
【図６】アテンション（ＡＴ）コマンドを使用してデュアルスタックアーキテクチャへのアクセスを制御するためのプロセスを実行するメモリと通信するプロセッサを備えるデバイスの例。
【詳細な説明】
【００１３】
[0018] 添付の図面に関係して以下で述べられる詳細な説明は、本開示の様々な態様の記述として意図されており、本開示が実施されうる態様のみを表すことを意図されていない。本開示で記述される各々の態様は、単に、本開示の例または例示として提供され、他の態様に対して、必ずしも好ましいまたは有利であるようには解釈されるべきでない。詳細な説明は、本開示の完全な理解を提供する目的のために指定の詳細を含む。しかしながら、本開示がこれらの指定の詳細なしで実施されうることは、当業者には明らかであろう。いくつかの事例では、周知の構造およびデバイスが、本開示の概念を不明確にすることを避けるためにブロック図の形態で提示されている。単に利便性および明確性のために、頭文字および他の記述的な専門用語は使用され、本開示の範囲を制限するようには意図されない。
【００１４】
[0019] 説明の簡略化の目的で、これら方法は一連の動作として説明および記述されているけれども、いくつかの動作は、１つまたは複数の態様にしたがって、ここに記述および提示されるものとは異なる順序で、および／または、他の動作と同時に起こりうるので、これら方法は動作の順序によって制限されないことが理解および認識されるべきである。例えば、当業者は、これらの方法が、代替的に、状態図の中でのように、一連の相互に関連するステータスまたはイベントとして表されうることを理解および認識するであろう。さらに、１つまたは複数の態様にしたがって方法をインプリメントするために、例示された全ての動作が要求される訳ではない。
【００１５】
[0020] ここに記述される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、時分割同期符号分割多元接続（ＴＤ−ＳＣＤＭＡ）などのような、様々なワイヤレス通信ネットワークのために使用されうる。「ネットワーク」および「システム」という用語は、頻繁に交換可能に使用される。ＣＤＭＡネットワークは、ユニバーサル地上無線アクセス（ＵＴＲＡ）、ｃｄｍａ２０００などのような無線技術をインプリメントしうる。ＵＴＲＡは、広帯域ＣＤＭＡ（Ｗ−ＣＤＭＡ（登録商標））およびＴＤ−ＳＣＤＭＡ低チップレート（ＬＣＲ）を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術をインプリメントしうる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などのような無線技術をインプリメントしうる。ＵＴＲＡ、Ｅ−ＵＴＲＡ、およびＧＳＭは、ユニバーサルモバイル通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＴＤ−ＳＣＤＭＡ、ＧＳＭ、ＵＭＴＳ、およびＬＴＥは、「第３世代パートナーシッププロジェクト」（３ＧＰＰ）と名付けられた組織による文書中に記述されている。ｃｄｍａ２０００は、「第３世代パートナシッププロジェクト２」（３ＧＰＰ２）と名付けられた組織による文書中に記述されている。これらの様々な無線技術および規格は、当該技術分野において周知である。
【００１６】
[0021] 図１は、２つの端末システム１００の例を例示するブロック図である。当業者は、図１に例示される例示的なアクセスノード／ＵＥシステム１００が、ＦＤＭＡ環境、ＯＦＤＭＡ環境、ＣＤＭＡ環境、ＷＣＤＭＡ（登録商標）環境、ＴＤＭＡ環境、ＳＤＭＡ環境、ＴＤ−ＳＣＤＭＡ環境またはその他のあらゆる適したワイヤレス環境でインプリメントされうることを理解するであろう。
【００１７】
[0022] アクセスノード／ＵＥシステム１００は、アクセスノード１０１（例えば、基地局）およびユーザ機器またはＵＥ２０１（例えば、ワイヤレス通信デバイス）を含む。ダウンリンク行程（downlink leg）では、アクセスノード１０１（例えば、基地局）は、トラフィックデータを受け取り、フォーマット、コード化、インタリーブおよび変調（または、シンボルマッピング）して、変調シンボル（例えば、データシンボル）を提供する送信（ＴＸ）データプロセッサＡ１１０を含む。ＴＸデータプロセッサＡ１１０は、シンボル変調器Ａ１２０と通信する。シンボル変調器Ａ１２０は、データシンボルおよびダウンリンクパイロットシンボルを受け取り、処理して、シンボルのストリームを提供する。一態様では、トラフィックデータを変調（または、シンボルマッピング）して、変調シンボル（例えば、データシンボル）を提供するのはシンボル変調器Ａ１２０である。一態様では、シンボル変調器Ａ１２０は、構成情報を提供するプロセッサＡ１８０と通信する。シンボル変調器Ａ１２０は、送信機ユニット（ＴＭＴＲ）Ａ１３０と通信する。シンボル変調器Ａ１２０は、データシンボルおよびダウンリンクパイロットシンボルを多重化して、それらを送信機ユニットＡ１３０に提供する。
【００１８】
[0023] 送信されるべき各シンボルは、データシンボル、ダウンリンクパイロットシンボル、またはゼロの信号値でありうる。ダウンリンクパイロットシンボルは、各シンボル期間において連続的に送信されうる。一態様では、ダウンリンクパイロットシンボルは、周波数分割多重化（ＦＤＭ）される。別の態様では、ダウンリンクパイロットシンボルは、直交周波数分割多重化（ＯＦＤＭ）される。さらに別の態様では、ダウンリンクパイロットシンボルは、符号分割多重化（ＣＤＭ）される。一態様では、送信機ユニットＡ１３０は、シンボルのストリームを受信して１つまたは複数のアナログ信号に変換し、そのアナログ信号をさらに調整、例えば、増幅、フィルタおよび／または周波数アップコンバートして、ワイヤレス送信に適したアナログダウンリンク信号を生成する。その後、そのアナログダウンリンク信号は、アンテナ１４０を通じて送られる。
【００１９】
[0024] ダウンリンク行程では、ＵＥ２０１は、アナログダウンリンク信号を受信して、そのアナログダウンリンク信号を受信機ユニット（ＲＣＶＲ）Ｂ２２０に入力するためのアンテナ２１０を含む。一態様では、受信機ユニットＢ２２０が、アナログダウンリンク信号を第１の「調整された」信号に、調整、例えば、フィルタ、増幅、および周波数ダウンコンバートする。その後、第１の「調整された」信号は、サンプリングされる。受信機ユニットＢ２２０は、シンボル復調器Ｂ２３０と通信する。シンボル復調器Ｂ２３０は、受信機ユニットＢ２２０から出力された第１の「調整された」および「サンプリングされた」信号（例えば、データシンボル）を復調する。当業者は、代替案が、シンボル復調器Ｂ２３０でサンプリングプロセスをインプリメントすることであるということを理解するであろう。シンボル復調器Ｂ２３０は、プロセッサＢ２４０と通信する。プロセッサＢ２４０は、シンボル復調器Ｂ２３０からダウンリンクパイロットシンボルを受信して、これらのダウンリンクパイロットシンボルに対してチャネル推定を行う。一態様では、チャネル推定は、現在の伝搬環境を特徴づけるプロセスである。シンボル復調器Ｂ２３０は、プロセッサＢ２４０から、ダウンリンク行程についての周波数応答推定を受信する。シンボル復調器Ｂ２３０は、ダウンリンク経路についてのデータシンボル推定値を取得するために、データシンボルに対してデータ復調を行う。ダウンリンク経路についてのデータシンボル推定値は、送信されたデータシンボルの推定値である。シンボル復調器Ｂ２３０はまた、ＲＸデータプロセッサＢ２５０とも通信する。
【００２０】
[0025] ＲＸデータプロセッサＢ２５０は、シンボル復調器Ｂ２３０からダウンリンク経路についてのデータシンボル推定値を受信して、トラフィックデータを回復するために、ダウンリンク経路についてのデータシンボル推定値を、例えば、復調（つまり、シンボルデマッピング）、デインタリーブおよび／または復号する。一態様では、シンボル復調器Ｂ２３０およびＲＸデータプロセッサＢ２５０による処理は、それぞれシンボル変調器Ａ１２０およびＴＸデータプロセッサＡ１１０による処理に相補的である。
【００２１】
[0026] アップリンク行程では、ＵＥ２０１は、ＴＸデータプロセッサＢ２６０を含む。ＴＸデータプロセッサＢ２６０は、トラフィックデータを受け取り、処理して、データシンボルを出力する。ＴＸデータプロセッサＢ２６０は、シンボル変調器Ｄ２７０と通信する。シンボル変調器Ｄ２７０は、データシンボルを受け取り、アップリンクパイロットシンボルと多重化し、変調を行い、シンボルのストリームを提供する。一態様では、シンボル変調器Ｄ２７０は、構成情報を提供するプロセッサＢ２４０と通信する。シンボル変調器Ｄ２７０は、送信機ユニットＢ２８０と通信する。
【００２２】
[0027] 送信されるべき各シンボルは、データシンボル、アップリンクパイロットシンボル、またはゼロの信号値でありうる。アップリンクパイロットシンボルは、各シンボル期間において連続的に送信されうる。一態様では、アップリンクパイロットシンボルは、周波数分割多重化（ＦＤＭ）される。別の態様では、アップリンクパイロットシンボルは、直交周波数分割多重化（ＯＦＤＭ）される。さらに別の態様では、アップリンクパイロットシンボルは、符号分割多重化（ＣＤＭ）される。一態様では、送信機ユニットＢ２８０は、シンボルのストリームを受信して１つまたは複数のアナログ信号に変換し、そのアナログ信号を、さらに調整、例えば、増幅、フィルタおよび／または周波数アップコンバートして、ワイヤレス送信に適したアナログアップリンク信号を生成する。その後、そのアナログアップリンク信号は、アンテナ２１０を通じて送られる。
【００２３】
[0028] ＵＥ２０１からのアナログアップリンク信号は、アンテナ１４０によって受信されて、サンプルを取得するために、受信機ユニットＡ１５０によって処理される。一態様では、受信機ユニットＡ１５０は、アナログアップリンク信号を第２の「調整された」信号に、調整、例えば、フィルタ、増幅および周波数ダウンコンバートする。その後、第２の「調整された」信号は、サンプリングされる。受信機ユニットＡ１５０は、シンボル復調器Ｃ１６０と通信する。当業者は、代替案が、シンボル復調器Ｃ１６０でサンプリングプロセスをインプリメントすることであるということを理解するであろう。シンボル復調器Ｃ１６０は、アップリンク経路についてのデータシンボル推定値を取得するために、データシンボルに対してデータ復調を行い、その後、アップリンクパイロットシンボルおよびアップリンク経路についてのデータシンボル推定値をＲＸデータプロセッサＡ１７０に提供する。アップリンク経路についてのデータシンボル推定値は、送られたデータシンボルの推定値である。ＲＸデータプロセッサＡ１７０は、ワイヤレス通信デバイス２０１によって送られたトラフィックデータを回復するために、アップリンク経路についてのデータシンボル推定値を処理する。シンボル復調器Ｃ１６０はまた、プロセッサＡ１８０とも通信する。プロセッサＡ１８０は、アップリンク行程で送っている各アクティブな端末に対してチャネル推定を行う。一態様では、複数の端末は、パイロットサブ帯域のセットがインタレース（interlaced）されうる、それらにそれぞれ割り当てられたパイロットサブ帯域のセット上で、アップリンク行程において同時にパイロットシンボルを送ることができる。
【００２４】
[0029] プロセッサＡ１８０およびプロセッサＢ２４０は、それぞれアクセスノード１０１（例えば、基地局）およびＵＥ２０１におけるオペレーションを指示（つまり、制御、調整、または管理など）する。一態様では、プロセッサＡ１８０およびプロセッサＢ２４０のいずれかあるいは両方が、プログラムコードおよび／またはデータを記憶するための１つまたは複数のメモリユニット（図示せず）と関連付けられる。一態様では、プロセッサＡ１８０またはプロセッサＢ２４０のいずれかあるいは両方が、それぞれアップリンク行程およびダウンリンク行程についての周波数およびインパルス応答推定値を導出するための計算を行う。
【００２５】
[0030] 一態様では、アクセスノード／ＵＥシステム１００は、多元接続システムである。多元接続システム（例えば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）、時分割同期符号分割多元接続（ＴＤ−ＳＣＤＭＡ）など）については、複数の端末が、アップリンク行程において同時に送信し、複数のＵＥへのアクセスを可能にする。一態様では、多元接続システムについては、パイロットサブ帯域は、異なる端末間で共有されうる。チャネル推定技法は、各端末のためのパイロットサブ帯域が、（場合によると、帯域端を除く）オペレーティング帯域全体に及ぶケースで使用される。各端末についての周波数ダイバーシティを取得ためには、このようなパイロットサブ帯域構造が望ましい。
【００２６】
[0031] 図２は、複数のユーザデバイスをサポートするワイヤレス通信システム２９０の例を例示している。図２では、参照番号２９２Ａから２９２Ｇは、セルを指し、参照番号２９８Ａから２９８Ｇは、基地局（ＢＳ）またはノードＢを指し、参照番号２９６Ａから２９６Ｊは、アクセスユーザデバイス（別名、ユーザ機器（ＵＥ））を指す。セルサイズは、変動しうる。あらゆる様々なアルゴリズムおよび方法が、システム２９０における送信をスケジュールするために使用されうる。システム２９０は、多くのセル２９２Ａから２９２Ｇについての通信を提供し、その各々は、それぞれ対応する基地局２９８Ａから２９８Ｇによってサービスされる。
【００２７】
[0032] 一態様では、ワイヤレスシステムにおけるデュアル加入者識別モジュール（ＳＩＭ）のデュアルスタックアーキテクチャについて、２つの異なるワイヤレスネットワークへの２つの登録が可能になりうる。一例では、デュアルスタックアーキテクチャは、２つの異なるモデムを有することをエミュレートし、２つの異なるネットワークの登録を可能にする。例えば、第１のスタックは、例えば、ＧＳＭのような第１のワイヤレスネットワークに登録されることができ、第２のスタックは、例えば、ＵＭＴＳのような第２のワイヤレスネットワークに登録されることができる。現在の３ＧＰＰの技術仕様２７．００７に基づくと、特定のスタックにアクセスするようにスタックパラメータを提供するためのアテンション（ＡＴ）コマンドにはオプションがない。例えば、音声コールのケースでは、音声コールを取り扱うべきスタックの指摘がないことがある。一態様では、音声コールを取り扱うことは、音声コールを生じさせることを含む。デフォルトの音声コールオプションがある場合でも、ユーザが音声コールを取り扱うように別のスタックを選ぶためのオプションは依然としてないことがある。別の例では、その機能を完了させるためにスタックを捜索するいずれのコマンドも、スタックを選択するための手段を提供されるべきであるだろう。加えて、入ってくる音声コールがある場合、ユーザはそのコールがどのネットワークから受信されるかを知る必要がありうる。この特徴は、現在の３ＧＰＰ技術仕様の一部ではない。一般的に、現在の仕様によってカバーされていないスタック選択の基準を必要とする多くのコマンドが存在しうる。
【００２８】
[0033] 別の態様では、スタックまたはネットワークを選ぶためのオプションまたはチョイスをユーザに提供するために、あるいはＳＩＭが２つのスタックのうちのどちらかにアクセスすることを可能にするために、新たなアテンション（ＡＴ）コマンドが導入されうる。一態様では、アテンション（ＡＴ）コマンドは、他の既存のＡＴコマンドに影響を与えないけれども既存のアテンション（ＡＴ）コマンドがユーザ要件にしたがって機能することを可能にする様式で設計されている。例えば、＄ＱＣＰＳＩＭＡＰＰはＳＩＭアプリケーションにちなんで名付けられたコマンドである。
【００２９】
[0034] 一態様では、実行コマンドは、規定の設定であるＳＩＭアプリケーションのユーザの選好（preference）を設定する。一態様では、このコマンドは、望ましいＳＩＭおよび望ましい加入に経路設定されるように全てのコマンドを指示する。一例では、実行コマンドは、１つのスタックヘ向かうようにコマンドを開始し、動的に別のスタックを指し示すように変更されうるスイッチに類似する。この特徴は、ユーザがあらゆるスタックへのあらゆるコマンドを送信することができることを確証する。一例では、この特徴は、全てのモバイル発生（mobile origination）（ＭＯ）オペレーションに対する付随のコマンドプロセッサ（ＡＴＣｏＰ）エンジンとして、およびグローバル設定として動作する。別の例では、この特徴は決定を下すように依存されうる。モバイル終了（ＭＴ）オペレーションでは、イベントの詳細に基づいて実行コマンドは、スタックについての追加の情報（extra information）を追加することができる。別の態様では、読取コマンドは、ユーザがいずれの時間でも現在の設定を知ることができるように、現在設定されている選好を戻す。別の態様では、テストコマンドは、実行コマンドにおける入力パラメータを提供するために利用可能な範囲を提供する。
【００３０】
[0035] 一態様では、アテンション（ＡＴ）コマンドは現在の規格において定義された追加のパラメータを有さない。一例では、デュアルＳＩＭのデュアルスタックの環境について、外部の世界へのモデムインタフェースは単一のインタフェースであり、したがってオプションが、ユーザが各コマンドを複数のスタックのうちの１つに向けるために必要とされる。一例では、コマンドは実行されるために所与のスタックに向かいうる。一例では、すべてのアテンション（ＡＴ）コマンドがデュアル挙動を必要とする訳ではない。デュアル挙動を必要とするだろうコマンドを識別し、互いに独立した２つの異なるスタックにおいて使用されるようにそれを供給する必要性がある。加えて、クリア通知および追加の情報は、例えばユーザへの混乱を避けるために応答コードを通じて搬送されうる。一態様では、使用のケースはコマンドおよびそれらの挙動のクリア分離を要求することができる。
【００３１】
[0036] 例えば、ユーザは、ＳＭＳ記憶装置を、第１のメッセージ加入のためにＳＩＭメモリであるように、ならびに第２のメッセージ加入のためにＰＨＯＮＥ  ＭＥＭＯＲＹ（電話メモリ）であるように設定することを望みうる。現在では、それが各加入においてどのように挙動すべきかを示唆するためのアーギュメント（例えば、パラメータ）をどれも有さない、＋ＣＰＭＳコマンドのような１つのコマンドのみが存在する。
【００３２】
[0037] 一態様では、＋ＣＰＭＳコマンドがどのように加入に経路設定されるかに基づいて＄ＱＣＰＳＩＭＡＰＰコマンドを使用する、既存のモデムコマンドセットへの拡張が開示されている。例えば、モデム終了（ＭＴ）音声コールが１つの加入にあるとき、正しい加入を示す必要性が存在する。一態様では、＋ＣＰＭＳコマンドは、好ましいメッセージ記憶装置を指定する。
【００３３】
[0038] 一例では、デュアルＳＩＭのスタックアーキテクチャは、ネットワーク登録用に２つの異なるＳＩＭを有する２つの異なるモデムを有することをエミュレートする。一態様では、既存のアテンション（ＡＴ）コマンドの使用が結果として曖昧になりうる。アテンションコマンドプロセッサ（ＡＴＣｏＰ）エンジンを、デュアルＳＩＭのデュアルスタックアーキテクチャをサポートするデュアルエンジンに変換する、解決策が必要とされる。
【００３４】
[0039] 一態様では、アテンション（ＡＴ）コマンドは、モデムへのアテンション（ＡＴ）コマンドである。一態様では、ワイヤレス規格３ＧＰＰ２７．００７および３ＧＰＰ２７．００７、ＩＴＵＴ−Ｖ２５ｔｅｒは既存のアテンション（ＡＴ）コマンドを定義する。一例では、モデムを同調する、つまり、データを記憶し、データを検索し、音声コールを行い、データコールを行い、またはＳＭＳコマンドを送信する、などのためのコマンドが存在する。一態様では、アテンション（ＡＴ）コマンドは、モデムと相互動作するように使用されうる。例えば、モバイル電話またはＵＥが、万能非同期送受信機（ＵＡＲＴ）またはユニバーサルシリアルバス（ＵＳＢ）のようなシリアル通信リンクを使用するパーソナルコンピュータ（ＰＣ）に接続される場合、ＵＥはモデムのようにエミュレートされる。アテンション（ＡＴ）コマンドは、シリアル通信リンクを通じてモデムに送信されうる。例えば、Ｗｉｎｄｏｗｓ（登録商標）のＯＳで利用可能なハイパー端末のようなアプリケーションがコマンドを送信するために使用されることができる。
【００３５】
[0040] 一例では、アテンション（ＡＴ）コマンドプロセッサは、単一の大域状態（a single global state）を維持する。例えば、コマンドＣＳＣＳ（テキストでのコマンドの名前：端末装備の文字セットを選択する）が文字セットを設定するために使用されうる。一例では、この状態は適用可能なときはいつでも保たれ、使用される。一例では、ＡＴコマンドの帯域状態は、モデムの寿命の間重要である。
【００３６】
[0041] 別の例では、モデムは加入者識別モジュール（ＳＩＭ）と同期する。例えば、ＳＩＭは登録およびネットワーク認証のためのキー情報を含むことができる。一例では、ネットワークオペレータは、そのネットワークのみに、ならびに規定にしたがった他のものに有効でありうる、ユーザ情報、認証などを組み込む。
【００３７】
[0042] 完全なモデムスタックは、ＳＩＭ内の規定情報に依存し、プロトコルに従った登録および検索を行うことができる。一例では、アテンション（ＡＴ）コマンドは、ネットワーク登録ステータスおよびスタック上の他のキーイベントをアクティブに傾聴し、その挙動および機能のために発行されているコマンドを導くために大域状態をセットアップする。
【００３８】
[0043] 一態様では、アテンション（ＡＴ）コマンドオペレーションは、モバイル発生（ＭＯ）およびモバイル終了（ＭＴ）としてカテゴライズされることもできる。一例では、ＭＴ動作のほとんどは、結果として、いずれのコマンドの発行もなく端末に直接送信されなければならない、非請求の結果コード（ＵＲＣ）になる。単一のモデムのケースでは、単一のモデムのみが存在するため、このＵＲＣに対する望ましいスタックを指定する必要性または要求は存在しない。
【００３９】
[0044] 別の態様では、例えば、スタックまたは加入に関連するコマンドは、ユーザの設定毎に別個の構成および挙動を有するべきである。別の態様では、コマンドのいずれの重複が存在すべきでない。例えば、第１のスタック上の非請求の応答を取得するためにコマンドセットＣＲＥＧ（コマンド登録）を使用すると、第２のスタックは設定されないので、第２のスタックからのいずれのＵＲＣも存在しないこともある。
【００４０】
[0045] 別の態様では、デュアルＳＩＭのデュアルスタックアーキテクチャは、同時に１つまたは２つのワイヤレスネットワークへ登録できる単一のモデムを有する。例えば、ユーザは、音声コール用に、またはショートメッセージサービス（ＳＭＳ）用にネットワークを選ぶことができる。一態様では、別個の加入情報が、２つ以上のＳＩＭカードを要求する２つの異なるワイヤレスネットワークへ登録するように要求されうる。一例では、異なるワイヤレスネットワークへ登録するために使用されうる１つよりも多いアプリケーションを有することができる、利用可能な強化版ＳＩＭが存在する。
【００４１】
[0046] 一態様では、アテンション（ＡＴ）コマンドはコマンド方式であるため、指定のスタックに発行される他のコマンドを導くことができるコマンドを求める必要性が存在する。例えば、スイッチは、スタック上で実行される、またはスタックからイベントを受信するためのコマンドに対して利用可能でありうる。例えば、ＵＲＣとして端末に送信されるとき、受信されたデータは、スタックの詳細を搬送するためにレガシＵＲＣに追加される追加の情報を有することになる。別の態様では、デュアルＳＩＭのデュアルスタック（ＤＳＤＳ）モデムは、デュアルスタックを持続するためにＡＴＣｏＰを強化することができる。一例では、単一のモデムおよび単一の加入に関して、ＭＯまたはＭＴオペレーションは追加の情報を必要としない。別の例では、ＤＳＤＳモデムが存在するとき、どのスタックがコマンドを送信するかを搬送するための要件が存在しうる。一態様では、インプリメンテーションは、２つの異なるＡＴＣｏＰエンジンと共に結び付けられる２つ物理的な異なるモデムが存在するように登場すべきである。
【００４２】
[0047] 別の態様では、ユーザがＡＴＤ（アテンション：ダイヤル）コマンドを使用して、例えばコールをするためにＡＴＤ９３４８５８１０５を使用して、コールをしようと望む場合、２つのＳＩＭが存在するときにどのＳＩＭおよびどの加入が音声コール用に使用されるべきかに関する決定が必要とされる。一例では、ユーザインターフェースは、ＳＩＭまたは加入などを選ぶための無線ボタンを含むことができる。しかしながら、いくつかのシステムでは、例えば、ＡＴＤ９３４８５８１０５２＜ｓｕｂ１＞をインプリメントして、ｓｕｂ１を使用してコールをするためにＡＴＣｏＰエンジンに搬送するためのコマンドに、オプションは存在しない。このオプションをインプリメントするための１つの方法は、２７．００７仕様を書き改めることを要求するだろうが、このことは望まれない。
【００４３】
[0048] 別の態様では、このＤＳＤＳアーキテクチャによって影響されないコマンドのセットが存在する。例えば、ＳレジスタコマンドＳ３（つまり、終了文字）のようないくつかの共通のコマンドは、２つの異なるスタックに対して異なる必要はない。これらのコマンドは、単一であり続け、両方のスタックにわたって使用される。
【００４４】
[0049] 別の態様では、非請求の結果コード（ＵＲＣ）は、スタックについての正確な情報を搬送するために用意されなければならない。第１の加入を有する第１のスタックがＭＴコールを受信する場合、ならびにＲＩＮＧコマンドのみが端末上で提示される場合、ユーザはこのコールとＳＩＭとの間の関連を知らないことがある。一例では、レガシＵＲＣ、例えばＲＩＮＧ＜Ｓｕｂ１＞と共に提示される追加の情報が存在すべきである。
【００４５】
[0050] 新たなアテンション（ＡＴ）コマンドは、ＡＴＣｏＰに対する、モード、加入、スタックなどを指定するために使用されうる。一例では、この新たなアテンション（ＡＴ）コマンドは、全てのさらなるコマンドが正確なスタックに経路設定され、全てのＭＯオペレーションの動きがこの新たなアテンション（ＡＴ）コマンドに依存することを保証する。別の態様では、全てのＭＴオペレーションに関して、全てのイベントが処理され、それによりＡＴＣｏＰ状態が更新される。そして、ＵＲＣを端末に送信する間、適用可能であるまたは必要とされるときはいつでも、スタックの詳細に関する追加の情報が搬送されうる。
【００４６】
[0051] 一態様では、新たなアテンション（ＡＴ）コマンドは、異なるアプリケーションおよびＳＩＭをわたってどの電話帳にアクセスすべきかを識別するためのオプションを選ぶために使用される。一例では、新たなアテンション（ＡＴ）コマンドは、他の既存のアテンション（ＡＴ）コマンドに影響しないけれども、既存のアテンション（ＡＴ）コマンドを、ユーザ要件ごとに機能するように導く。
【００４７】
[0052] 別の態様では、＄ＱＣＰＳＩＭＡＰＰは、ＳＩＭアプリケーションにちなんで名付けられたコマンドである。コマンドの構文は表１で提示されているものである。
【表１】
0005680771.tif 000002
【００４８】
[0053] 別の態様では、コマンドの構文は以下のフォーマットに従う。
【数１】
0005680771.tif 000003
【００４９】
[0054] 一態様では、新たなアテンション（ＡＴ）コマンドは、識別用のオプションを選ぶために使用されうる。例えば、実行コマンドは、規定の設定であるＳＩＭアプリケーションのユーザの選好を設定する。この特徴は、正しいＳＩＭおよび加入に経路設定されるようにすべてのコマンドに指示する。一例では、この実行コマンドは、１つのスタックヘ向かうようにコマンドを開始し、動的に他のスタックを指し示すために変更されうるスイッチのように機能する。結果として、ユーザはあらゆるスタックへのあらゆるコマンドを送信することができる。
【００５０】
[0055] 一態様では、全てのＭＯオペレーションに対するグローバル設定およびＡＴＣｏＰエンジンに類似して、新たなアテンション（ＡＴ）コマンドが決定のために使用される。別の態様では、ＭＴオペレーションに関して、イベントの詳細に基づいて新たなアテンション（ＡＴ）コマンドは、スタックについての追加の情報を追加する。
【００５１】
[0056] 一例では、読取コマンドは現在設定されている選好を戻す。このことは、ユーザが時間におけるいずれのポイントでも現在の設定を知っていることが要求されうる。別の例では、テストコマンドは、実行コマンドにおける入力パラメータを提供するために利用可能な範囲を提供する。
【００５２】
[0057] 一態様では、第２の加入上にＭＴ音声コールが存在するとき、第２の加入情報がモバイル端末上で搬送されることができる。しかしながら、一例では、レガシコードは、２つの加入、例えばＲＩＮＧ１およびＲＩＮＧ２用の２つの別個のコードを有さないＲＩＮＧである。一態様では、２つの別個のコード、例えばＲＩＮＧ１およびＲＩＮＧ２の使用は、ワイヤレスシステムによって受け入れられないことがある。一例では、加入情報は、レガシコードを損傷のない状態にしておきながら搬送されうる。例えば、新たなコマンドのフォーマットは、ＲＩＮＧ＜，Ｓｕｂｓ  ｉｎｆｏ＞に従いうる。
【００５３】
[0058] 図３は、アテンション（ＡＴ）コマンドを使用してデュアルスタックアーキテクチャへのアクセスを制御するためのフロー図の例を例示している。ブロック３１０では、第１のネットワークへの第１の加入を確立する。
【００５４】
[0059] ブロック３１０に続いて、ブロック３２０では、第２のネットワークへの第２の加入を確立する。一例では、第１のネットワークはＧＳＭに基づく。別の例では、第２のネットワークはＵＭＴＳに基づく。別の例では、第１または第２のネットワークはＬＴＥに基づく。一例では、第１の加入は音声コール用に使用され、第２の加入は、ショートメッセージサービス（ＳＭＳ）用に使用される。
【００５５】
[0060] ブロック３３０では、第１の加入および第２の加入から望ましい加入を選択する。一例では、望ましい加入は、音声コールをするためにＡＴＤ（アテンション：ダイヤル）コマンドを使用する。
【００５６】
[0061] ブロック３４０では、複数の既存のアテンション（ＡＴ）コマンドの少なくとも１つを望ましい加入に向けるためのアテンション（ＡＴ）コマンドを送信する。一例では、アテンション（ＡＴ）コマンドは、＄ＱＣＳＩＭＡＰＰコマンドに基づく。別の例では、アテンション（ＡＴ）コマンドは、＜ＳＩＭ  Ａｐｐ＞フィールドを含み、ここにおいて＜ＳＩＭ  Ａｐｐ＞フィールドは望ましい加入を示すことができる。一例では、ＡＴコマンドはモバイル発生（ＭＯ）オペレーションに適用される。別の例では、ＡＴコマンドはモバイル終了（ＭＴ）オペレーションに適用される。一例では、＄ＱＣＳＩＭＡＰＰコマンドは、どのように＋ＣＰＭＳコマンドが、第１の、または第２の加入のどちらかに経路設定されるかに基づく。別の例では、＋ＣＰＭＳコマンドは、好ましいメッセージ記憶装置を指定する。一例では、ＡＴコマンドは、コマンドプロセッサエンジンに対して、モード、加入、またはスタックを指定するために使用されうる。別の態様では、＄ＱＣＳＩＭＡＰＰコマンドは、ＳＩＭアプリケーションを指定する。別の例では、ＡＴコマンドは、識別用のオプションを選ぶために使用される。別の例では、ＡＴコマンドは、決定のために使用され、スタックについての追加の情報を追加する。別の例では、ＡＴコマンドは、加入情報を有するＲＩＮＧコードに関するレガシコードを使用する。
【００５７】
[0062] 図４は、アテンション（ＡＴ）コマンドを使用してデュアルスタックアーキテクチャへのアクセスを制御するための例示的なデバイス４００を例示している。デバイス４００は、通信デバイスとして、あるいは、通信デバイス内で使用するためのプロセッサまたは類似するデバイスとして、構成されうる。描写されているように、デバイス４００は、プロセッサ、ソフトウェア、ハードウェア、または、これらの組み合わせ（例えば、ファームウェア）によってインプリメントされる機能を表すことができる機能的ブロックを含みうる。
【００５８】
[0063] 例示されているように、デバイス４００は、第１のネットワークへの第１の加入を確立するための電気的コンポーネント４１０を含みうる。デバイス４００は、第２のネットワークへの第２の加入を確立するための電気的コンポーネント４２０を含みうる。デバイス４００は、第１の加入および第２の加入から望ましい加入を選択するための電気的コンポーネント４３０を含みうる。デバイス４００は、複数の既存のアテンション（ＡＴ）コマンドの少なくとも１つを望ましい加入に向けるためのアテンション（ＡＴ）コマンドを送信するための電気的コンポーネント４４０を含みうる。
【００５９】
[0064] デバイス４００は、任意で、少なくとも１つのプロセッサを有するプロセッサモジュール４０２を含みうる。一態様では、デバイス４００は、プロセッサではなく、むしろ通信ネットワークエンティティとして、構成されうる。このようなケースでは、プロセッサ４０２は、バス４０４を介して、または、類似する通信結合を介して、電気的コンポーネント４１０−４４０と動作可能に通信することができる。プロセッサ４０２は、電気的コンポーネント４１０―４４０によって行われるプロセスまたは機能の開始およびスケジューリングをもたらすことができる。
【００６０】
[0065] 関連する態様では、デバイス４００は、トランシーバモジュール４０６を含みうる。独立型受信機および／または独立型送信機は、トランシーバモジュール４０６の代わりに、または、トランシーバモジュール４０６と連結して使用されうる。さらなる関連する態様では、デバイス４００は、任意に、例えば、メモリモジュール４０８のような、情報を記憶するためのモジュールを含むことができる。メモリモジュール４０８は、コンピュータ可読媒体を備え、バス４０４などを介して、デバイス４００の他のコンポーネントに動作可能に結合されうる。メモリモジュール４０８は、電気的コンポーネント４１０−４４０およびそれらのサブコンポーネント、またはプロセッサ４０２の挙動およびプロセス、またはここに開示される方法をもたらすためのコンピュータ可読コード、命令、および／またはデータを記憶するために適合されうる。メモリモジュール４０８は、電気的コンポーネント４１０−４４０に関連付けられた機能を実行するためのコード／命令を保持しうる。メモリモジュール４０８の外部にあるものとして提示されているけれども、電気的コンポーネント４１０−４４０がメモリモジュール４０８内に存在しうることは理解されるべきである。
【００６１】
[0066] 当業者は、図３の例示的なフロー図において開示されたステップが、本開示の範囲および趣旨から逸脱することなく、それらの順序において入れ替わりうることを理解するであろう。また、当業者は、フロー図に例示されるステップは排他的ではなく、本開示の範囲および趣旨に影響を及ぼすことなく、他のステップが含まれ、あるいは例示的なフロー図の例における１つまたは複数のステップが削除されうることを理解するであろう。
【００６２】
[0067] 当業者は、ここに開示された例に関係して記述された様々な例示的なコンポーネント、論理ブロック、モジュール、回路、および／またはアルゴリズムステップが、電子ハードウェア、ファームウェア、コンピュータソフトウェア、あるいはそれらの組み合わせとしてインプリメントされうることをさらに認識するであろう。ハードウェア、ファームウェア、およびソフトウェアのこの互換性を明確に例示するために、様々な例示的なコンポーネント、ブロック、モジュール、回路、および／またはアルゴリズムステップが、概してそれらの機能の観点から上で記述されてきた。このような機能が、ハードウェア、ファームウェア、またはソフトウェアとしてインプリメントされるかは、特定のアプリケーションおよびシステム全体に課せられる設計制約に依存する。当業者は、各特定のアプリケーションに関する様々な方法で、記述された機能を多様な方法でインプリメントすることができるが、このようなインプリメンテーションの決定は、本開示の範囲または趣旨からの逸脱を引き起こしていると解釈されるべきではない。
【００６３】
[0068] 例えば、ハードウェアインプリメンテーションについては、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、ここに記述された機能を実行するように設計されたその他の電子ユニット、あるいはこれらの組み合わせ内でインプリメントされうる。ソフトウェアを用いた場合、インプリメンテーションは、ここに記述された機能を行うモジュール（例えば、プロシージャ、機能など）を通じうる。ソフトウェアコードは、メモリユニット内に記憶され、プロセッサユニットによって実行されうる。加えて、ここで記述された様々な例示的なフロー図、論理ブロック、モジュールおよび／またはアルゴリズムステップはまた、当該技術分野で周知のあらゆるコンピュータ可読媒体で運ばれるコンピュータ可読命令としてコード化されるか、あるいは当該技術分野で周知の任意のコンピュータプログラム製品でインプリメントされうる。
【００６４】
[0069] １つまたは複数の例では、ここで記述されたステップまたは機能は、ハードウェア、ソフトウェア、ファームウェア、あるいはこれらのあらゆる組み合わせにおいてインプリメントされうる。ソフトウェアにおいてインプリメントされる場合、機能は、１つまたは複数の命令あるいはコードとして、コンピュータ可読媒体に記憶されうる、もしくはそれによって送信されうる。コンピュー可読媒体は、１つの場所から別の場所へのコンピュータプログラムの転送を促進するあらゆる媒体を含むコンピュータ記憶媒体および通信媒体の両方を含む。記憶媒体は、コンピュータによってアクセスされうるあらゆる利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置またはその他の磁気記憶デバイス、あるいは、データ構造または命令の形式で所望のプログラムコードを記憶または運ぶために使用可能であり、かつコンピュータによってアクセスされうるその他のあらゆる媒体を備えうる。また、あらゆる接続が、コンピュータ可読媒体と適切に称される。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、または他の遠隔ソースから送られる場合には、この同軸ケーブル、光ファイバーケーブル、ツイストペア、ＤＳＬ、または赤外線、電波、およびマイクロ波のような無線技術は、媒体の定義に含まれる。ここで使用される場合、ディスク（ｄｉｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（ｄｉｓｋｓ）は、通常磁気的にデータを再生し、一方ディスク（ｄｉｓｃｓ）は、レーザーを用いて光学的にデータを再生する。上記の組み合わせもまた、コンピュータ可読媒体の範囲内に含まれるべきである。
【００６５】
[0070] 図５は、アテンション（ＡＴ）コマンドを使用してデュアルスタックアーキテクチャへのアクセスを制御するのに適したデバイス５００の例を例示している。一態様では、デバイス５００は、ここでブロック５２０、５３０および５４０において記述される、アテンション（ＡＴ）コマンドを使用してデュアルスタックアーキテクチャへのアクセスを制御する異なる態様を提供するように構成された１つまたは複数のモジュールを備える少なくとも１つのプロセッサによってインプリメントされる。例えば、各モジュールは、ハードウェア、ファームウェア、ソフトウェア、またはそれらのあらゆる組み合わせを備える。一態様では、デバイス５００はまた、少なくとも１つのプロセッサと通信状態にある少なくとも１つのメモリによってインプリメントされる。
【００６６】
[0071] 一例において、ここに記述される例示的なコンポーネント、フロー図、論理ブロック、モジュールおよび／またはアルゴリズムステップは、１つまたは複数のプロセッサでインプリメントまたは行われる。一態様では、プロセッサは、ここに記述される様々なフロー図、論理ブロックおよび／またはモジュールをインプリメントまたは行うためにプロセッサによって実行されるデータ、メタデータ、プログラム命令などを記憶するメモリと結合される。図６は、アテンション（ＡＴ）コマンドを使用してデュアルスタックアーキテクチャへのアクセスを制御するようにプロセスを実行するためのメモリ６２０と通信するプロセッサ６１０を備えるデバイス６００の例を例示している。一例では、デバイス６００は、図３に例示されたアルゴリズムをインプリメントするために使用される。一態様では、メモリ６２０は、プロセッサ６１０内に位置する。別の態様では、メモリ６２０は、プロセッサ６１０の外部にある。一態様では、プロセッサは、ここに記述される様々なフロー図、論理ブロックおよび／またはモジュールをインプリメントまたは行うための回路を含む。
【００６７】
[0072] 開示された態様のこれまでの記述は、当業者が本発明を製作または使用することを可能にするために提供されている。これらの態様に対するさまざま改良は当業者に容易に明らかとなり、ここに定義された一般的な原理は、本開示の趣旨または範囲を逸脱することなく、他の態様に適用されうる。
以下に、本願出願の当初の特許請求の範囲に記載された発明を付記する。
［Ｃ１］
アテンション（ＡＴ）コマンドを使用してデュアルスタックアーキテクチャへのアクセスを制御するための方法であって、
第１のネットワークへの第１の加入を確立することと、
第２のネットワークへの第２の加入を確立することと、
前記第１の加入および第２の加入から望ましい加入を選択することと、
複数の既存のアテンション（ＡＴ）コマンドの少なくとも１つを前記望ましい加入に向けるためのアテンション（ＡＴ）コマンドを送信すること、
を備える方法。
［Ｃ２］
前記第１のネットワークはＧＳＭに基づき、前記第２のネットワークはＵＭＴＳに基づく、Ｃ１に記載の方法。
［Ｃ３］
前記第１の加入は音声コール用に使用され、前記第２の加入は、ショートメッセージサービス（ＳＭＳ）用に使用される、Ｃ２に記載の方法。
［Ｃ４］
前記第１のネットワーク、または前記第２のネットワークのうちの少なくとも１つはＬＴＥに基づく、Ｃ１に記載の方法。
［Ｃ５］
前記望ましい加入は、音声コールをするためにアテンションダイヤル（ＡＴＤ）コマンドを使用する、Ｃ１に記載の方法。
［Ｃ６］
前記アテンション（ＡＴ）コマンドは、＄ＱＣＳＩＭＡＰＰコマンドに基づく、Ｃ１に記載の方法。
［Ｃ７］
前記アテンション（ＡＴ）コマンドは、前記望ましい加入を示すための＜ＳＩＭ  Ａｐｐ＞フィールドを含む、Ｃ６に記載の方法。
［Ｃ８］
前記＄ＱＣＳＩＭＡＰＰコマンドは、どのように＋ＣＰＭＳコマンドが、前記第１の、または第２の加入のどちらかに経路設定されるかに基づく、Ｃ６に記載の方法。
［Ｃ９］
前記＋ＣＰＭＳコマンドは、好ましいメッセージ記憶装置を指定する、Ｃ８に記載の方法。
［Ｃ１０］
前記＄ＱＣＳＩＭＡＰＰコマンドは、ＳＩＭアプリケーションを指定する、Ｃ６に記載の方法。
［Ｃ１１］
前記ＡＴコマンドは、モバイル発生（ＭＯ）オペレーション、またはモバイル終了（ＭＴ）オペレーションのどちらかに適用される、Ｃ１に記載の方法。
［Ｃ１２］
コマンドプロセッサエンジンに対する、モード、加入、またはスタックを指定するために前記ＡＴコマンドを使用することをさらに備える、Ｃ１に記載の方法。
［Ｃ１３］
識別用のオプションを選ぶために、またはスタックについての情報を追加するために、前記ＡＴコマンドを使用することをさらに備える、Ｃ１に記載の方法。
［Ｃ１４］
前記ＡＴコマンドは、加入情報を有するＲＩＮＧコードに関するレガシコードを使用する、Ｃ１に記載の方法。
［Ｃ１５］
アテンション（ＡＴ）コマンドを使用してデュアルスタックアーキテクチャへのアクセスを制御するための装置であって、
第１のネットワークへの第１の加入を確立するための手段と、
第２のネットワークへの第２の加入を確立するための手段と、
前記第１の加入および第２の加入から望ましい加入を選択するための手段と、
複数の既存のアテンション（ＡＴ）コマンドの少なくとも１つを前記望ましい加入に向けるためのアテンション（ＡＴ）コマンドを送信する手段と、
を備える装置。
［Ｃ１６］
前記第１のネットワークはＧＳＭに基づき、前記第２のネットワークはＵＭＴＳに基づく、Ｃ１５に記載の装置。
［Ｃ１７］
前記第１の加入は音声コール用に使用され、前記第２の加入は、ショートメッセージサービス（ＳＭＳ）用に使用される、Ｃ１６に記載の装置。
［Ｃ１８］
前記第１のネットワーク、または前記第２のネットワークのうちの少なくとも１つはＬＴＥに基づく、Ｃ１５に記載の装置。
［Ｃ１９］
前記望ましい加入は、音声コールをするためにアテンションダイヤル（ＡＴＤ）コマンドを使用する、Ｃ１５に記載の装置。
［Ｃ２０］
前記アテンション（ＡＴ）コマンドは、＄ＱＣＳＩＭＡＰＰコマンドに基づく、Ｃ１５に記載の装置。
［Ｃ２１］
前記アテンション（ＡＴ）コマンドは、前記望ましい加入を示すための＜ＳＩＭ  Ａｐｐ＞フィールドを含む、Ｃ２０に記載の装置。
［Ｃ２２］
前記＄ＱＣＳＩＭＡＰＰコマンドは、どのように＋ＣＰＭＳコマンドが、前記第１の、または第２の加入のどちらかに経路設定されるかに基づく、Ｃ２０に記載の装置。
［Ｃ２３］
前記＋ＣＰＭＳコマンドは、好ましいメッセージ記憶装置を指定する、Ｃ２２に記載の装置。
［Ｃ２４］
前記＄ＱＣＳＩＭＡＰＰコマンドは、ＳＩＭアプリケーションを指定する、Ｃ２０に記載の装置。
［Ｃ２５］
前記ＡＴコマンドは、モバイル発生（ＭＯ）オペレーション、またはモバイル終了（ＭＴ）オペレーションのどちらかに適用される、Ｃ１５に記載の装置。
［Ｃ２６］
コマンドプロセッサエンジンに対する、モード、加入、またはスタックを指定するために前記ＡＴコマンドを使用するための手段をさらに備える、Ｃ１５に記載の装置。
［Ｃ２７］
識別用のオプションを選ぶために、またはスタックについての情報を追加するために、前記ＡＴコマンドを使用するための手段をさらに備える、Ｃ１５に記載の装置。
［Ｃ２８］
前記ＡＴコマンドは、加入情報を有するＲＩＮＧコードに関するレガシコードを使用する、Ｃ１５に記載の装置。
［Ｃ２９］
プロセッサおよびメモリを備えるユーザ機器であって、前記メモリは、
第１のネットワークへの第１の加入を確立することと、
第２のネットワークへの第２の加入を確立することと、
前記第１の加入および第２の加入から望ましい加入を選択することと、
複数の既存のアテンション（ＡＴ）コマンドの少なくとも１つを前記望ましい加入に向けるためのアテンション（ＡＴ）コマンドを送信すること、
を行うために前記プロセッサによって実行可能なプログラムコードを含む、ユーザ機器。
［Ｃ３０］
前記第１のネットワークはＧＳＭに基づき、前記第２のネットワークはＵＭＴＳに基づく、Ｃ２９に記載のユーザ機器。
［Ｃ３１］
前記第１の加入は音声コール用に使用され、前記第２の加入は、ショートメッセージサービス（ＳＭＳ）用に使用される、Ｃ３０に記載のユーザ機器。
［Ｃ３２］
前記第１のネットワーク、または前記第２のネットワークのうちの少なくとも１つはＬＴＥに基づく、Ｃ２９に記載のユーザ機器。
［Ｃ３３］
前記望ましい加入は、音声コールをするためにアテンションダイヤル（ＡＴＤ）コマンドを使用する、Ｃ２９に記載のユーザ機器。
［Ｃ３４］
前記アテンション（ＡＴ）コマンドは、＄ＱＣＳＩＭＡＰＰコマンドに基づく、Ｃ２９に記載のユーザ機器。
［Ｃ３５］
前記アテンション（ＡＴ）コマンドは、前記望ましい加入を示すための＜ＳＩＭ  Ａｐｐ＞フィールドを含む、Ｃ３４に記載のユーザ機器。
［Ｃ３６］
前記＄ＱＣＳＩＭＡＰＰコマンドは、どのように＋ＣＰＭＳコマンドが、前記第１の、または第２の加入のどちらかに経路設定されるかに基づく、Ｃ３４に記載のユーザ機器。
［Ｃ３７］
前記＋ＣＰＭＳコマンドは、好ましいメッセージ記憶装置を指定する、Ｃ３６に記載のユーザ機器。
［Ｃ３８］
前記＄ＱＣＳＩＭＡＰＰコマンドは、ＳＩＭアプリケーションを指定する、Ｃ３４に記載のユーザ機器。
［Ｃ３９］
前記ＡＴコマンドは、モバイル発生（ＭＯ）オペレーション、またはモバイル終了（ＭＴ）オペレーションのどちらかに適用される、Ｃ２９に記載のユーザ機器。
［Ｃ４０］
前記メモリは、コマンドプロセッサエンジンに対する、モード、加入、またはスタックを指定するために前記ＡＴコマンドを使用するためのプログラムコードをさらに備える、Ｃ２９に記載のユーザ機器。
［Ｃ４１］
前記メモリは、識別用のオプションを選ぶために、またはスタックについての情報を追加するために、前記ＡＴコマンドを使用するためのプログラムコードをさらに備える、Ｃ２９に記載のユーザ機器。
［Ｃ４２］
前記ＡＴコマンドは、加入情報を有するＲＩＮＧコードに関するレガシコードを使用する、Ｃ２９に記載のユーザ機器。
［Ｃ４３］
コンピュータに対して、第１のネットワークへの第１の加入を確立させるためのコードと、
コンピュータに対して、第２のネットワークへの第２の加入を確立させるためのコードと、
コンピュータに対して、前記第１の加入および第２の加入から望ましい加入を選択させるためのコードと、
コンピュータに対して、複数の既存のアテンション（ＡＴ）コマンドの少なくとも１つを前記望ましい加入に向けるためのアテンション（ＡＴ）コマンドを送信させるためのコードと、
を備える、非トランジトリなコンピュータ可読媒体
を備える、コンピュータプログラム製品。
【図１】
0005680771.tif 000004
【図２】
0005680771.tif 000005
【図３】
0005680771.tif 000006
【図４】
0005680771.tif 000007
【図５】
0005680771.tif 000008
【図６】
0005680771.tif 000009